(57)【要約】【課題】  本体ボックス２と、複数のノズルヘッド６を有するヘッドボックス３とを備えたインクジェット式記録装置Ａにおいて、両ユニット２，３の着脱を容易にしてメンテナンス性の向上を図る。【解決手段】  ヘッドボックス３は、複数のノズルヘッド６（ヘッドベース４１）それぞれが、ＦＰＣ４５ａを介して接続された中継基板４７を有し、中継基板４７は、本体ボックス２に着脱自在に接続されるコネクタ４７ａを有する。【選択図】    図７
2005074763.tif 000002
【特許請求の範囲】
【請求項１】
ノズルからインクを吐出して記録媒体に記録を行うインクジェット式記録装置であって、
本体ユニットと、この本体ユニットに対して着脱可能に取り付けられるラインヘッドユニットと、を備え、
上記ラインヘッドユニットは、
ノズルとそのノズルからインクを吐出させるための素子とを含み、上記記録媒体の全幅に亘ってその幅方向に並設された複数のノズルヘッドと、
上記複数のノズルヘッドそれぞれが、その素子に駆動信号を伝送する伝送線を介して接続された中継基板と、を有し、
上記中継基板は、上記本体ユニットに着脱自在に接続されるコネクタを有するインクジェット式記録装置。
【請求項２】
請求項１に記載のインクジェット式記録装置において、
伝送線は、その中継基板に着脱自在に接続されるコネクタを有するインクジェット式記録装置。
【請求項３】
請求項１に記載のインクジェット式記録装置において、
本体ユニットは、複数のノズルヘッドそれぞれに対応する複数の増幅回路が実装されたアンプ基板を有し、
上記各増幅回路は、オペアンプと、ヒートシンクを有する電流バッファとを含み、
上記オペアンプとヒートシンクとは、上記基板面に直交する方向に重なった状態に配置されるインクジェット式記録装置。
【請求項４】
請求項３に記載のインクジェット式記録装置において、
ヒートシンクは、その下端部に凹部を有し、
オペアンプは、アンプ基板に立設された上記ヒートシンクの凹部内で、その基板に横実装されるインクジェット式記録装置。
【請求項５】
請求項３に記載のインクジェット式記録装置において、
ヒートシンクは、スペーサを介してアンプ基板に固定され、
オペアンプは、上記基板に立設された上記ヒートシンクの下側で、その基板に横実装されるインクジェット式記録装置。
【請求項６】
請求項１に記載のインクジェット式記録装置において、
本体ユニットは、複数のノズルヘッドそれぞれに対応する複数の増幅回路が実装されたアンプ基板を有し、
上記各増幅回路は、オペアンプと、ヒートシンクを有する電流バッファとを含み、
上記オペアンプは、上記アンプ基板とは別のサブ基板に横実装され、
上記サブ基板は、上記アンプ基板に縦実装され、
上記ヒートシンクは、上記サブ基板に並設されるインクジェット式記録装置。
【請求項７】
請求項３に記載のインクジェット式記録装置において、
複数のオペアンプは、それぞれひし形形状のキャンタイプであって、アンプ基板上に並んで横実装され、
上記各オペアンプは、その並び方向に対して対角線が傾いた状態に配置されるインクジェット式記録装置。
【請求項８】
請求項１に記載のインクジェット式記録装置において、
本体ユニットは、複数のノズルヘッドそれぞれに対応する複数の増幅回路が実装された基板を有し、
上記各増幅回路は、ヒートシンクを有する縦実装タイプのオペアンプと、ヒートシンクを有する電流バッファとを含み、
上記オペアンプのヒートシンクと電流バッファのヒートシンクとは、一体化されて上記基板に立設されるインクジェット式記録装置。
【請求項９】
請求項１に記載のインクジェット式記録装置において、
本体ユニットは、
オペアンプと、コレクタにヒューズを有するエミッタフォロア形式の電流バッファとを含む回路であって、ノズルヘッドに駆動信号を出力する回路と、
上記回路の出力を検出する出力検出手段と、
上記電流バッファのヒューズ切れを検出するヒューズ切れ検出手段と、を有するインクジェット式記録装置。
【請求項１０】
請求項１に記載のインクジェット式記録装置において、
中継基板は、複数に分割され、
上記各中継基板は、本体ユニットに着脱自在に接続されるコネクタを有し、
複数のノズルヘッドは、上記分割された中継基板の内のいずれか一に接続されるインクジェット式記録装置。
【請求項１１】
請求項１０に記載のインクジェット式記録装置において、
ラインヘッドユニットは、記録媒体の幅方向に延び、複数のノズルヘッドを保持する保持部をさらに有し、
上記記録媒体の幅に応じて、上記保持部に保持させるノズルヘッドの個数を調整するインクジェット式記録装置。
【請求項１２】
請求項１１に記載のインクジェット式記録装置において、
ノズルヘッドの個数の調整は、１つの中継基板に接続されるノズルヘッドの個数を一単位として行われるインクジェット式記録装置。
【請求項１３】
請求項１１に記載のインクジェット式記録装置において、
ラインヘッドユニットは、保持部におけるノズルヘッドを保持しない部分を覆うカバー部材をさらに有するインクジェット式記録装置。
【請求項１４】
ノズルからインクを吐出して記録媒体に記録を行うインクジェット式記録装置であって、
本体ユニットと、この本体ユニットに対して着脱可能に取り付けられるラインヘッドユニットと、を備え、
上記ラインヘッドユニットは、
ノズルとそのノズルから吐出するインクを貯留する圧力室とを含み、上記記録媒体の全幅に亘ってその幅方向に並設された複数のノズルヘッドと、
上記複数のノズルヘッドそれぞれが、その圧力室にインクを供給する供給チューブを介して接続された分配タンクと、
上記本体ユニットに着脱自在に接続され、上記分配タンクにインクを供給するためのインクカプラと、を有するインクジェット式記録装置。
【請求項１５】
請求項１４に記載のインクジェット式記録装置において、
分配タンクは、複数に分割され、
ラインヘッドユニットは、上記複数の分配タンクに対応して、複数のインクカプラを有し、
複数のノズルヘッドは、上記分割された分配タンクの内のいずれか一に接続されるインクジェット式記録装置。
【請求項１６】
ノズルからインクを吐出して記録媒体に記録を行うインクジェット式記録装置であって、
本体ユニットと、この本体ユニットに対して着脱可能に取り付けられるラインヘッドユニットと、を備え、
上記ラインヘッドユニットは、
ノズルとそのノズルからインクを吐出させるための圧電素子とを含み、上記記録媒体の全幅に亘ってその幅方向に並設された複数のノズルヘッドと、
上記複数のノズルヘッドそれぞれが、その圧電素子にエアを供給する供給チューブを介して接続されたエアマニホールドと、
上記本体ユニットに着脱自在に接続され、上記エアマニホールドにエアを供給するためのエアカプラと、を有するインクジェット式記録装置。
【請求項１７】
ノズルからインクを吐出して記録媒体に記録を行うインクジェット式記録装置であって、
本体ユニットと、この本体ユニットに対して着脱可能に取り付けられるラインヘッドユニットと、を備え、
上記ラインヘッドユニットは、上記本体ユニットに対して、電気系の接続を行うコネクタと電気系以外の接続を行うカプラと、を有し、
上記コネクタの本体ユニットに対する接続方向と、上記カプラの本体ユニットに対する接続方向とは、互いに異なるインクジェット式記録装置。
【請求項１８】
ノズルからインクを吐出して記録媒体に記録を行うインクジェット式記録装置であって、
本体ユニットと、この本体ユニットに対して着脱可能に取り付けられるラインヘッドユニットと、を備え、
上記ラインヘッドユニットは、上記本体ユニットに対して、電気系の接続を行うコネクタと電気系以外の接続を行うカプラと、を有し、
上記コネクタとカプラとは、上記ラインヘッドユニットの異なる面に配置されるインクジェット式記録装置。
【請求項１９】
ノズルからインクを吐出して記録媒体に記録を行うインクジェット式記録装置であって、
本体ユニットと、この本体ユニットに対して着脱可能に取り付けられるラインヘッドユニットと、を備え、
上記ラインヘッドユニットは、上記本体ユニットに対して、電気系の接続を行うコネクタと電気系以外の接続を行うカプラと、を有し、
上記コネクタは、上記カプラよりも上方位置に配置されるインクジェット式記録装置。
【請求項２０】
請求項１７〜請求項１９の内のいずれか１項に記載のインクジェット式記録装置において、
コネクタは、ラインヘッドユニットの上面に上向きに配置され、
カプラは、そのラインヘッドの側面に横向きに配置されるインクジェット式記録装置。
【発明の詳細な説明】
【技術分野】
【０００１】
本発明は、インクジェット式記録装置に関する。
【背景技術】
【０００２】
従来より、記録媒体の全幅に亘って配置されたノズルを有するラインヘッドを備え、ヘッドを移動させることなく記録を行うインクジェット式記録装置が知られている（例えば特許文献１参照）。
【０００３】
このラインヘッドは、記録媒体の全幅をカバーする必要があり、このような長尺のラインヘッドを一体で作成することが困難である。そのため、比較的小面積のノズルヘッドを並べて配置してラインヘッドを構成することが知られている（例えば、特許文献２参照）。
【特許文献１】特開平１０−５２９１０号公報
【特許文献２】特開平６−３４４６２７号公報
【発明の開示】
【発明が解決しようとする課題】
【０００４】
ところで、上記特許文献１に記載された記録装置は、本体ボックスと、ラインヘッドを含むヘッドボックスとからなり、ヘッドボックスを本体ボックスに対して着脱可能に構成している。それによって、ラインヘッドのメンテナンス性を高めている。
【０００５】
そこで、特許文献１，２を組み合わせて、多数のノズルヘッドを並設してラインヘッドを構成する一方で、そのラインヘッド（ヘッドボックス）を本体ボックスに対して着脱可能に構成することが考えられる。
【０００６】
ところが、上記各ノズルヘッドには、インクを吐出させるための駆動信号を少なくとも伝送しなければならない。このため、ラインヘッドに含まれるノズルヘッドの１つ１つに対して、本体ボックスから駆動信号用の伝送線（例えばＦＰＣ）を接続しなければならない。このため、ヘッドボックスを本体ボックスに取り付ける際には、ヘッドボックスに含まれる１つ１つのノズルヘッドに伝送線を取り付けなければならない。逆に、ヘッドボックスを本体ボックスから取り外す際には、１つ１つのノズルヘッドに接続されている伝送線を取り外さなければならない。このように、ラインヘッドを複数のノズルヘッドで構成した場合、ヘッドボックスと本体ボックスとの組み付けが極めて煩雑になり、メンテナンス性が低下してしまう。
【０００７】
本発明は、かかる点に鑑みてなされたものであり、その目的とするところは、本体ユニットと、複数のノズルヘッドを有するヘッドユニットとを備えたインクジェット式記録装置において、両ユニットの着脱を容易にしてメンテナンス性の向上を図ることある。
【課題を解決するための手段】
【０００８】
本発明のインクジェット式記録装置は、ノズルからインクを吐出して記録媒体に記録を行う装置である。
【０００９】
この記録装置は、本体ユニットと、この本体ユニットに対して着脱可能に取り付けられるラインヘッドユニットと、を備える。
【００１０】
そして、上記ラインヘッドユニットは、ノズルとそのノズルからインクを吐出させるための素子とを含み、上記記録媒体の全幅に亘ってその幅方向に並設された複数のノズルヘッドと、上記複数のノズルヘッドそれぞれが、その素子に駆動信号を伝送する伝送線を介して接続された中継基板と、を有し、上記中継基板は、上記本体ユニットに着脱自在に接続されるコネクタを有する。
【００１１】
上記ラインヘッドユニットは、複数のノズルヘッドを有しているため、そのノズルヘッドの１つ１つを、本体ユニットに電気的に接続しなければならない。そこで、上記ラインヘッドユニットは中継基板を有する。この中継基板にはノズルヘッドの１つ１つが、伝送線を介して接続される。中継基板は、上記本体ユニットに着脱自在に接続されるコネクタを有する。つまり、中継基板は、ノズルヘッドからの配線を集約して、本体ユニットに接続する基板である。
【００１２】
これにより、ラインヘッドユニットを本体ユニットに取り付ける際には、上記中継基板のコネクタを本体ユニットに接続するだけで、本体ユニットと各ノズルヘッドとの電気的な接続が完了する。逆に、ラインヘッドユニットを本体ユニットから取り外す際には、上記中継基板のコネクタを本体ユニットから取り外すだけでよい。こうして、ラインヘッドユニットと本体ユニットとの組み付けが容易になり、メンテナンス性が向上する。
【００１３】
ここで、上記伝送線は、その中継基板に着脱自在に接続されるコネクタを有してもよい。
【００１４】
こうすることで、各ノズルヘッドと中継基板との接続・非接続がコネクタによって容易に実現する。その結果、ラインヘッドユニットにおける複数のノズルヘッドの内から、所望のノズルヘッドのみを中継基板に取り付けたり、基板から取り外したりすることが可能になり、メンテナンス性がさらに向上する。
【００１５】
ラインヘッドユニットを、複数のノズルヘッドによって構成したときには、そのノズルヘッドに駆動信号を出力する回路（増幅回路）がノズルヘッドの数だけ必要となる。また、インクの吐出特性からの要請により、高電圧かつ高スルーレートで、高電流の駆動信号（駆動波形）が要求される場合がある。その駆動波形を実現するために、増幅回路を、比較的大型のオペアンプと、ヒートシンクを有する電流バッファとから構成する必要性が生じる。その結果、オペアンプとヒートシンクを有する電流バッファとを含む増幅回路を、本体ユニットのアンプ基板に複数、実装しなければならなくなり、アンプ基板が大型化するという不都合がある。
【００１６】
そこで、上記オペアンプとヒートシンクとを、上記基板面に直交する方向に重なった状態に配置する。こうすることで、オペアンプを基板に横実装し、ヒートシンクをそのオペアンプに並べて配置した場合に比べて、基板面積が大幅に縮小する。
【００１７】
上記ヒートシンクは、その下端部に凹部を有するものとし、上記オペアンプを、基板に立設された上記ヒートシンクの凹部内で、その基板に横実装してもよい。こうすることで、オペアンプとヒートシンクとは、上記基板面に直交する方向に重なった状態に配置される。
【００１８】
これとは異なり、上記ヒートシンクは、スペーサを介して基板に固定し、上記オペアンプを、上記基板に立設された上記ヒートシンクの下側で、その基板に横実装してもよい。こうすることも、オペアンプとヒートシンクとは、上記基板面に直交する方向に重なった状態に配置される。
【００１９】
また、上記オペアンプを、アンプ基板とは別のサブ基板に横実装し、上記オペアンプが実装されたサブ基板を、上記アンプ基板に縦実装し、上記ヒートシンクを、上記サブ基板に並設してもよい。
【００２０】
この場合は、オペアンプとヒートシンクとは、上記基板面に直交する方向に重なった状態に配置されないが、オペアンプは、基板に対して縦実装されることと等価になる。そのため、基板が小型化する。
【００２１】
上記複数のオペアンプは、それぞれひし形形状のキャンタイプとしてもよい。このキャンタイプのオペアンプは基板上に並んで横実装すればよいが、そのときに、各オペアンプを、その並び方向に対して対角線が傾いた状態に配置する。
【００２２】
こうすることで、オペアンプ（ひし形形状）の配置効率が高まり、各オペアンプを、その並び方向と対角線とが一致する状態に配置した場合に比べて、基板面積が縮小する。
【００２３】
また、上記オペアンプは、ヒートシンクを有する縦実装タイプとしてもよい。この場合、そのオペアンプのヒートシンクと電流バッファのヒートシンクとを、一体化して上記基板に立設することが好ましい。
【００２４】
つまり、オペアンプと電流バッファとがそれぞれヒートシンクを有する場合、各ヒートシンクの脚を基板に対して安定に固定させるには、これらのヒートシンクを近接して配置することができず、それにより基板の大型化を招く。また、ヒートシンクが多数になるため脚の数が多くなり、基板パターンの引き回しの点でも不利である。
【００２５】
そこで、オペアンプのヒートシンクと電流バッファのヒートシンクとを一体化させる。このことにより、ヒートシンクを個別化した場合に比べて脚の数が減少し、基板の小型化が図られ、基板パターンの引き回しの点でも有利になる。
【００２６】
上記本体ユニットが有する回路は、オペアンプと、コレクタにヒューズを有するエミッタフォロア形式の電流バッファとを含む回路であって、ノズルヘッドに駆動信号を出力する回路としてもよい。この場合に、上記本体ユニットは、上記回路の出力を検出する出力検出手段と、上記電流バッファのヒューズ切れを検出するヒューズ切れ検出手段と、を有することが好ましい。
【００２７】
大電流が要求されたとき（電流値はインクを吐出するノズル数に依存し、そのノズル数が多いほど電流値は高くなる）に、コレクタのヒューズが切れていれば電圧は出力されない。この場合は、上記出力検出手段によってヒューズ切れが検出可能である。
【００２８】
一方、小電流が要求されたときに、コレクタのヒューズが切れていても、エミッタフォロア形式の電流バッファではオペアンプからベース経由で電圧が出力されてしまう。この場合は、出力検出手段では、ヒューズ切れが検出不可能になる。
【００２９】
そこで、出力検出手段とは別に、ヒューズ切れ検出回路を設ける。こうすることで、出力検出手段ではヒューズ切れが検出できなくても、ヒューズ切れ検出回路によってヒューズ切れを確実に検出可能になる。
【００３０】
上記中継基板は、複数に分割し、その各中継基板は、本体ユニットに着脱自在に接続されるコネクタを有するようにしてもよい。この場合、上記複数のノズルヘッドは、上記分割された中継基板の内のいずれか一に接続されるようにすればよい。
【００３１】
また、上記ラインヘッドユニットは、記録媒体の幅方向に延び、複数のノズルヘッドを保持する保持部をさらに有してもよい。そして、上記記録媒体の幅に応じて、上記保持部に保持させるノズルヘッドの個数を調整してもよい。
【００３２】
この場合において、上記ノズルヘッドの個数の調整は、１つの中継基板に接続されるノズルヘッドの個数を一単位として行えばよい。
【００３３】
すなわち、上記中継基板を、それぞれコネクタを有する複数の中継基板に分割することで、ラインヘッドユニットに含まれる複数のノズルヘッドは、中継基板毎にグループ化される。そのグループ単位で、保持部に保持させるノズルヘッドの個数を増減する。そうすることで、ノズルヘッドの並びの長さが変化し、ラインヘッドの実質的な長さが変更される。こうして、保持部、中継基板の構成を変えることなく、ノズルヘッドの搭載個数を変更するだけで、異なる幅の記録媒体に対応した記録装置が構成される。
【００３４】
上記ラインヘッドユニットは、保持部におけるノズルヘッドを保持しない部分を覆うカバー部材をさらに有してもよい。こうすることで、ラインヘッドユニット内に埃等が流入することが防止される。
【００３５】
本発明の他のインクジェット式記録装置は、そのラインヘッドユニットが、ノズルとそのノズルから吐出するインクを貯留する圧力室とを含み、上記記録媒体の全幅に亘ってその幅方向に並設された複数のノズルヘッドと、上記複数のノズルヘッドそれぞれが、その圧力室にインクを供給する供給チューブを介して接続された分配タンクと、上記本体ユニットに着脱自在に接続され、上記分配タンクにインクを供給するためのインクカプラと、を有する。
【００３６】
この構成によると、ラインヘッドユニットに含まれる複数のノズルヘッドはそれぞれ、分配タンクに接続され、その分配タンクは、インクカプラを介して本体ユニットに接続される。
【００３７】
このため、ラインヘッドユニットを本体ユニットに取り付ける際には、上記インクカプラを本体ユニットに接続すれば、ノズルヘッドへのインク供給系が構築される。逆に、ラインヘッドユニットを本体ユニットから取り外す際には、上記インクカプラを本体ユニットから取り外すだけでよい。その結果、ラインヘッドユニットと本体ユニットとの組み付けが容易になり、メンテナンス性が向上する。
【００３８】
上記分配タンクは、複数に分割し、上記ラインヘッドユニットは、上記複数の分配タンクに対応して、複数のインクカプラを有してもよい。この場合、上記複数のノズルヘッドは、上記分割された分配タンクの内のいずれか一に接続されるようにすればよい。
【００３９】
こうすることで、中継基板を分割した場合と同様に、異なる幅の記録媒体に対応した記録装置が容易に構成される。
【００４０】
本発明のさらに他のインクジェット式記録装置は、そのラインヘッドユニットが、ノズルとそのノズルからインクを吐出させるための圧電素子とを含み、上記記録媒体の全幅に亘ってその幅方向に並設された複数のノズルヘッドと、上記複数のノズルヘッドそれぞれが、その圧電素子にエアを供給する供給チューブを介して接続されたエアマニホールドと、上記本体ユニットに着脱自在に接続され、上記エアマニホールドにエアを供給するためのエアカプラと、を有する。
【００４１】
この構成によると、分配タンクを設けた構成と同様に、ラインヘッドユニットを本体ユニットに取り付ける際には、上記エアカプラを本体ユニットに接続すれば、ノズルヘッドへのエア供給系が構築され、ラインヘッドユニットを本体ユニットから取り外す際には、上記エアカプラを本体ユニットから取り外すだけでよい。その結果、ラインヘッドユニットと本体ユニットとの組み付けが容易になり、メンテナンス性が向上する。尚、圧電素子にエアを供給するのは、欠陥発生の原因である水分を除去し、圧電素子の長寿命化を図るためである。
【００４２】
本発明のさらに他のインクジェット式記録装置は、そのラインヘッドユニットが、上記本体ユニットに対して、電気系の接続を行うコネクタと電気系以外の接続を行うカプラと、を有し、上記コネクタの本体ユニットに対する接続方向と、上記カプラの本体ユニットに対する接続方向とを、互いに異ならせる。
【００４３】
コネクタの本体ユニットに対する接続方向と、上記カプラの本体ユニットに対する接続方向とを、互いに異ならせることによって、コネクタの接続とカプラの接続とが、それぞれ確実に行い得る。
【００４４】
本発明のさらに他のインクジェット式記録装置は、そのラインヘッドユニットが、上記本体ユニットに対して、電気系の接続を行うコネクタと電気系以外の接続を行うカプラと、を有し、上記コネクタとカプラとが、上記ラインヘッドユニットの異なる面に配置される。
【００４５】
コネクタとカプラとを異なる面に配置することで、ラインヘッドユニット及び本体ユニットにおける電気系の構成部分と、電気系以外の構成部分とが住み分けされる。
【００４６】
本発明のさらに他のインクジェット式記録装置は、そのラインヘッドユニットが、上記本体ユニットに対して、電気系の接続を行うコネクタと電気系以外の接続を行うカプラと、を有し、上記コネクタは、上記カプラよりも上方位置に配置される。
【００４７】
電気系以外の接続にはインクの接続が含まれ、そのインクの接続を行うカプラよりも、電気系の接続を行うコネクタを上方位置に配置する。これにより、仮にインク漏れが生じた場合でも、コネクタは汚染されることがない。その結果、ショートの発生や接続不良の発生が効果的に防止される。
【００４８】
上記コネクタは、ラインヘッドユニットの上面に上向きに配置し、上記カプラは、そのラインヘッドの側面に横向きに配置してもよい。
【発明の効果】
【００４９】
本発明のインクジェット式記録装置によると、ラインヘッドユニットに中継基板を設けることで、複数のノズルヘッドからの配線が集約され、ラインヘッドユニットと本体ユニットとの電気的な接続は、中継基板のコネクタのみで行われるようになる。その結果、ラインヘッドユニットと本体ユニットとの組み付けが容易になり、メンテナンス性を向上させることができる。
【発明を実施するための最良の形態】
【００５０】
以下、本発明の実施形態を図面に基づいて詳細に説明する。
【００５１】
（記録装置の全体構成）
本実施形態に係るインクジェット式記録装置は、圧電アクチュエータの圧電効果を利用して、インクジェットヘッドからインク滴を吐出し、その吐出したインク滴を記憶媒体に着弾させることでその記録媒体に記録を行う。
【００５２】
上記記録装置Ａは、図１及び図２に示すように、４つのインクジェットヘッド１１を備えている。４つのインクジェットヘッド１１は、ブラックインクを吐出するインクジェットヘッド１１、イエローインクを吐出するインクジェットヘッド１１、マジェンタインクを吐出するインクジェットヘッド１１、及びシアンインクを吐出するインクジェットヘッド１１である。この記録装置Ａは４色のインクによってカラー印字が可能である。
【００５３】
記録媒体１２は、各インクジェットヘッド１１の下方位置で、複数のローラ１２ａによって所定の搬送方向（Ｘ方向）に搬送される。記録媒体１２は、例えばロール紙（図示省略）として、そのロールから繰り出すようにしてもよい。
【００５４】
各インクジェットヘッド１１は、上記記録媒体１２の幅方向（Ｙ方向）に延びて配置されていると共に、これら４つのインクジェットヘッド１１は、Ｘ方向に所定の等間隔を空けて並設されている。
【００５５】
各インクジェットヘッド１１は、図１及び図５に示すように、Ｙ方向に延びるラインヘッド４を備えている。ラインヘッド４は、インクを吐出する複数のノズル４４と、各ノズル４４からインクを吐出させる複数の圧電アクチュエータ（図１及び図５では図示を省略する）とを含む。ノズル４４は記録媒体１２の全幅にわたって配列されている。尚、図５のラインヘッド４は、図１に示すラインヘッド４よりもノズル４４の数を減じて図示している。
【００５６】
このように、各インクジェットヘッド１１は、記録媒体１２の全幅にわたって配列されたノズル４４を備えている。このため、その記録動作時には、上記記録媒体１２を搬送方向に搬送しながら、所定のタイミングで所定のノズル４４からインクを吐出する。つまり、各インクジェットヘッド１１を、記録媒体１２の幅方向に移動させなくても、その記録媒体１２の全幅（例えばＪＩＳ，Ａ２幅）にわたって所望の画像を形成することが可能である。
【００５７】
上記記録装置Ａは、各インクジェットヘッド１１のラインヘッド４をクリーニングするパージユニット５を４つ備えている。これらのパージユニット５は、記録媒体１２の搬送位置に対しＹ方向の外方位置に配置されている。複数のパージユニット５は、インクジェットヘッド１１に対応して、Ｘ方向に所定の等間隔を空けて並設されている。尚、パージユニット５の構成の詳細については後述する。
【００５８】
各インクジェットヘッド１１は、Ｙ方向に延びて配設された、ボールねじ１６とリニアガイド１７とに支持されている。このボールねじ１６は、その一端部に取り付けられたモータ１８によって回転駆動される。モータ１８がボールねじ１６を回転駆動することにより、インクジェットヘッド１１は、ボールねじ１６及びリニアガイド１７に案内されてＹ方向に往復移動する。こうして、各インクジェットヘッド１１は、記録媒体１２の搬送位置である記録位置と、パージユニット５の配設位置であるクリーニング位置とに相互に位置変更が可能である。尚、４つのボールねじ１６は、互いに別個のモータ１８によって回転駆動されるため、４つのインクジェットヘッド１１は、互いに独立に記録位置とクリーニング位置との間を移動することが可能である。
【００５９】
上記各インクジェットヘッド１１は、上下方向であるＺ軸周りに回転する第１回転ステージ１１ａと、Ｘ軸周りに回転する第２回転ステージ１１ｂとを介して、上記リニアガイド１７及びボールねじ１６に支持されている。上記第１回転ステージ１１ａによって、各ラインヘッド４の、記録媒体１２の幅方向に対する傾きを調節する。上記第２回転ステージ１１ｂによって、各ラインヘッド下面（ノズル面）の、記録媒体１２の記録面に対する傾きを調節する。各ラインヘッド４は長尺であるため、記録媒体１２の表面に対する傾きによって、ノズル面と記録媒体との距離が変化し、それによって、インクの着弾ずれが発生する。また、互いに異なる色のインクを吐出する複数のラインヘッド４を記録媒体１２の搬送方向に並設しているため、記録媒体１２に対するヘッド間の位置ずれによって、色ずれが生じる。そこで、上記第１及び第２回転ステージ１１ａ，１１ｂにより、各ラインヘッド４の記録媒体１２に対する傾きを調節する。こうすることで、記録媒体１２における所望の位置にインク滴を着弾させると共に、複数のインクジェットヘッド１１間でのインク滴の着弾位置のずれを防止する。
【００６０】
上記記録装置Ａは、４つのインクタンク１３を備えている。４つのインクタンク１３は、ブラックインクを貯留するインクタンク１３、イエローインクを貯留するインクタンク１３、マジェンタインクを貯留するインクタンク１３、及びシアンインクを貯留するインクタンク１３である。４つのインクジェットヘッド１１と４つのインクタンク１３は、インクチューブ１３ａを介して一対一に接続される。インクタンク１３内のインクは、インクチューブ１３ａを介してインクジェットヘッド１１に供給される。
【００６１】
上記記録装置Ａは、電源・制御ボックス１４を備えている。各インクジェットヘッド１１と電源・制御ボックス１４は、伝送線１４ａを介して接続されている。電源・制御ボックス１４は、各インクジェットヘッド１１に電力と制御信号とを供給する。上記電源・制御ボックス１４は、上記ボールねじ１６の端部に取り付けられた各モータ１８にも制御信号を供給する。
【００６２】
上記記録装置Ａは、エア供給源１５を備えている。インクジェットヘッド１１とエア供給源１５は、それぞれエアチューブ１５ａを介して接続されている。エア供給源１５は、各インクジェットヘッド１１に乾燥気体を供給する。この乾燥気体の供給によって、後述するように、圧電アクチュエータ（圧電素子）の長寿命化を図る。
【００６３】
尚、これらインクチューブ１３ａ、伝送線１４ａ、及びエアチューブ１５ａは、その途中位置で固定部材により固定された後に、１つに束ねられてインクジェットヘッド１１に接続される。こうして、往復移動する各インクジェットヘッド１１と、各チューブ及び伝送線との干渉を回避する。
【００６４】
（インクジェットヘッドの構成）
各インクジェットヘッド１１は、図３に示すように、本体ボックス２と、ヘッドボックス３とからなる。
【００６５】
本体ボックス２は、その上側に位置して回路基板が内蔵される回路部２１と、回路部２１の下側に位置してインクチューブ等が内蔵されるインク部２２とからなり、直方体の一部を切り欠いた形状を有している。
【００６６】
ヘッドボックス３は、ラインヘッド４と、ラインヘッド４を覆うカバー３１とからなり、上記本体ボックス２の切り欠き部分に組み付けられる略直方体形状に形成されている。ヘッドボックス３を本体ボックス２に組み付けることによって、インクジェットヘッド１１は、全体として略直方体形状を有する。
【００６７】
上記ラインヘッド４は、図４及び図５に示すように、それぞれノズルヘッド６（図６参照）が内蔵された複数のヘッドベース４１と、ヘッドベース４１を保持するベースプレート４２と、を備えている。このヘッドベース４１には、ノズルヘッド６に駆動波形を供給するドライバ基板４５と、インクを貯留するサブタンク４６とが取り付けられる。
【００６８】
上記ベースプレート４２は、細長形状の板材であり、その中央部に形成された開口４２ａを有している。この開口４２ａは、長手方向に延びて形成され、その縁部は波形に形成されている。各ヘッドベース４１は、この波形に合致するように、ベースプレート４２に対しその長手方向に傾いて固定される。尚、図５では、ヘッドベース４１を１つのみ図示しているが、ベースプレート４２にはその長手方向に複数の（図５の例では、３０個の）ヘッドベース４１が並設される。
【００６９】
上記各ヘッドベース４１は、複数のノズル４４が略千鳥状に配列されたノズル板４３を有している。複数のヘッドベース４１が、ベースプレート４２の長手方向に並設されることで、ノズル４４が、記録媒体１２の全幅にわたって、その記録媒体１２の幅方向に略等間隔を空けて配列される（図２８参照。尚、図２８では、一部のノズル４４の図示を省略しており、実際には、１つのノズル板４３に例えば４００個のノズル４４が形成される）。
【００７０】
上記ヘッドベース４１に内蔵されるノズルヘッド６は、上述したように、圧電アクチュエータの圧電効果によってインクを吐出するものである。ノズルヘッド６は、図６に示すように構成されている。
【００７１】
つまり、このノズルヘッド６は、複数の圧力室用凹部６１ａが形成されたヘッド本体６１を備えている。凹部６１ａは、ノズル板４３に形成されたノズル４４に対応して設けられていて、ノズル４４の列方向に並設されている。各凹部６１ａは、この凹部６１ａにインクを供給するための供給口６１ｂと、この凹部６１ａからインクを吐出するための吐出口６１ｃとを有している。
【００７２】
上記各凹部６１ａの側壁部は、圧力室部品６２で構成される。圧力室部品６２の下面には、インク流路部品６３が接着固定されている。上記各凹部６１ａの底壁部は、このインク流路部品６３で構成される。
【００７３】
インク流路部品６３は、複数枚の薄板を積層してなる。インク流路部品６３には、１つの供給用インク流路６４と、複数の吐出用インク流路６５と、複数のオリフィス６６とが形成されている。各オリフィス６６は、上記各凹部６１ａの供給口６１ｂに接続されている。供給用インク流路６４は、凹部６１ａの並設方向（ノズル４４の列方向）に延びて形成されていて、各オリフィス６６に接続されている。この供給用インク流路６４はサブタンク４６と接続されていて、供給用インク流路６４内には、このサブタンク４６からインクが供給される。また、各吐出用インク流路６５は、上記各凹部６１ａの吐出口６１ｃに接続されている。
【００７４】
ノズル板４３は、上記インク流路部品６３の下面に接着固定される。そのノズル板４３に形成された各ノズル４４は、各吐出用インク流路６５に接続されている。
【００７５】
上記圧電アクチュエータ６７は、上記ヘッド本体６１の各凹部６１ａの上側に設けられている。この各圧電アクチュエータ６７は、Ｃｒ製振動板６７ａを有している。振動板６７ａは、上記ヘッド本体６１の上面に接着固定された状態で該ヘッド本体６１の各凹部６１ａを塞いで該凹部６１ａと共に圧力室６８を構成する。この振動板６７ａは、全ての圧電アクチュエータ６７に共通の１つのものからなっていて、後述の全圧電素子６７ｂに共通の共通電極としての役割をも果たしている。
【００７６】
また、上記各圧電アクチュエータ６７は、チタン酸ジルコン酸鉛（ＰＺＴ）からなる圧電素子６７ｂと、Ｐｔ製個別電極６７ｃとを有している。圧電素子６７ｂは、上記振動板６７ａの上記圧力室６８と反対側面（上面）において圧力室６８に対応する部分（凹部６１ａ開口に対向する部分）にＣｕ製の中間層６７ｄを介してそれぞれ設けられている。個別電極６７ｃは、各圧電素子６７ｂの上記振動板６７ａと反対側面（上面）にそれぞれ接合されている。この各個別電極６７ｃは、振動板６７ａと共に、各圧電素子６７ｂに電圧（駆動電圧）をそれぞれ印加するためのものである。尚、上記振動板６７ａ，各圧電素子６７ｂ、各個別電極６７ｃ及び各中間層６７ｄは、全て薄膜で形成されている。
【００７７】
上記各圧電アクチュエータ６７は、その振動板６７ａと各個別電極６７ｃとを介して各圧電素子６７ｂに駆動電圧が印加されることにより該振動板６７ａの圧力室６８に対応する部分（凹部６１ａ開口部分）が変形する。このことで、該圧力室６８内のインクを吐出口６１ｃを介してノズル４４から吐出させる。
【００７８】
圧電アクチュエータ６７は、ノズル４４に対応して設けられているため、１つのヘッドベース４１には、多数の圧電アクチュエータ６７が内蔵される。ドライバ基板４５（ドライバ回路）は、後述するように駆動電圧を選択的に圧電アクチュエータ６７に供給する回路である。
【００７９】
上記ラインヘッド４は、図４及び図７に示すように、２つの中継基板４７を備えている。尚、図７は、図４に示すラインヘッド４を模式的に示す図である。
【００８０】
ラインヘッド４のベースプレート４２には、その長手方向両端部にサイドフレーム４２ｂが立設されている。上記２つの中継基板４７はこのサイドフレーム４２ｂの支持されていて、２つのサイドフレーム４２ｂの上端を互いに掛け渡すように、長手方向に並んで配置されている。
【００８１】
上記中継基板４７には、各ヘッドベース４１に取り付けられたドライバ基板４５がＦＰＣ４５ａを介して接続される。尚、図４では一部のＦＰＣの図示を省略している。ＦＰＣ４５ａは、コネクタ４５ｂによって中継基板４７に着脱自在に接続される。上記ベースプレート４２に固定されるヘッドベース４１の内、長手方向の一方側に配置されたヘッドベース４１のドライバ基板４５は、２つの中継基板４７の内の一方の中継基板４７に、長手方向の他方側に配置されたヘッドベース４１のドライバ基板４５は他方の中継基板４７にそれぞれ接続される。つまり、ベースプレート４２に固定された全ヘッドベース４１（ドライバ基板４５）の内の半数のドライバ基板４５が一方の中継基板４７に接続され、残りの半数のドライバ基板４５が他方の中継基板４７に接続される。
【００８２】
上記２つの中継基板４７はそれぞれ、本体ボックス２側のコネクタ８４（図１３参照）に結合されるコネクタ４７ａを有している。このコネクタ４７ａは、図４に示すように、ヘッドボックス３の上面部に上向きに配置される。
【００８３】
このように、各ドライバ基板４５からの配線は上記中継基板４７に集約され、その上で、中継基板４７のコネクタ４７ａにより本体ボックス２と接続される。このため、ヘッドボックス３（ラインヘッド４）と本体ボックス２との電気的な接続は、２つのコネクタ４７ａのみで行われる。その結果、本体ボックス２に対してドライバ基板４５を１つ１つ接続する場合と比べて、本体ボックス２に対するヘッドボックス３の取り付け・取り外しが容易になる。すなわち、ヘッドボックス３のメンテナンス性が向上する。
【００８４】
また、各ドライバ基板４５と中継基板４７との接続は、ＦＰＣ４５ａのコネクタ４５ｂによって、着脱自在である。このため、ヘッドベース４１を独立してベースプレート４２から取り外すことが容易になる。その結果、ヘッドボックス３のメンテナンス性がさらに向上する。
【００８５】
上記ラインヘッド４は、２つの分配タンク４８と、１つのエアマニホールド４９（図４では図示を省略）と、を備えている。
【００８６】
上記２つの分配タンク４８は、ラインヘッド４の背面（本体ボックス２との組み付け面）に長手方向に並んで配置されていて、上記サイドフレーム４２ｂに支持されている。
【００８７】
上記エアマニホールド４９は、ラインヘッド４の正面（本体ボックス２との組み付け面の反対面）に長手方向に延びて配置されて、上記サイドフレーム４２ｂに支持されている。
【００８８】
上記２つの分配タンク４８には、それぞれ供給側インクチューブ４８ａと、排出側インクチューブ４８ｂとが接続されている。供給側のインクチューブ４８ａは、上記インクタンク１３から各分配タンク４８にインクを供給するためのチューブである。排出側インクチューブ４８ｂは、ノズルヘッド６内の気泡の除去等のために、ノズルヘッド６内からインクを吸いだす際に用いられるチューブである。
【００８９】
上記各インクチューブ４８ａ，４８ｂには、本体ボックス２のインク部に内蔵されたインク供給系に接続されるインクカプラ４８ｃが設けられる。これにより、ラインヘッド４は、供給側のカプラとして２つのインクカプラ４８ｃと、排出側のカプラとして２つのインクカプラ４８ｃとの、合計４つのインクカプラ４８ｃを有する。これらのインクカプラ４８ｃは、図４に示すように、ヘッドボックス３の背面側に横向きに配置される。
【００９０】
上記２つの分配タンク４８には、各ヘッドベース４１に取り付けられたサブタンク４６がインクチューブ４６ａを介して接続される。上記ベースプレート４２に固定されるヘッドベース４１の内、長手方向の一方側に配置されたヘッドベース４１のサブタンク４６は、２つの分配タンク４８の内の一方の分配タンク４８に、長手方向の他方側に配置されたヘッドベース４１のサブタンク４６は他方の分配タンク４８にそれぞれ接続される。つまり、ベースプレート４２に固定された全サブタンク４６の内の半数が一方の分配タンク４８に接続され、残りの半数が他方の分配タンク４８に接続される。
【００９１】
これにより、インクは、インクタンク１３から、インクチューブ１３ａ，４８ａ、分配タンク４８、インクチューブ４６ａ、及びサブタンク４６を介してノズルヘッド６に供給される。
【００９２】
上記エアマニホールド４９には、その途中で２分岐されたエアチューブ４９ａ（図４参照）が接続されている。このエアチューブ４９ａには、本体ボックス２のインク部に内蔵されたエア供給系に接続されるエアカプラ４９ｂが設けられており、このエアカプラ４９ｂは、インクカプラ４８ｃと同様に、ヘッドボックス３の背面側に横向きに配設される。
【００９３】
上記エアマニホールド４９には、各ヘッドベース４１がエアチューブ４９ｃを介して接続される。これにより、乾燥気体は、エア供給源１５から、エアチューブ１５ａ，４９ａ、エアマニホールド４９、及びエアチューブ４９ｃを介してヘッドベース４１に内蔵された圧電素子６７ｂ及びその近傍に供給される。このように乾燥気体を供給することで、圧電素子６７ｂに大欠陥が発生することを防止する。つまり、圧電素子６７ｂには微小な亀裂や孔等の欠陥が多数存在し、水分存在下で圧電素子６７ｂに高電界を加えたときに結果部の鉛化合物とその周辺で大電流が流れ、ジュール熱によりその箇所が破壊されて大きな孔ができる。本実施の形態に係る圧電素子６７ｂは特に薄膜により形成されているため、欠陥の破壊によって素子を貫通する大きな欠陥が発生する虞がある。そこで、乾燥気体を圧電素子６７ｂ及びその近傍に供給することにより、欠陥発生の原因である水分を除去し、それによって、圧電素子６７ｂの長寿命化を図る。
【００９４】
このように、ヘッドボックス３に分配タンク４８及びエアマニホールド４９を設けることにより、そのヘッドボックス３と本体ボックス２との間のインク系及びエア系の接続は、インクカプラ４８ｃ及びエアカプラ４９ｂのみで行い得る。これにより、本体ボックス２に対するヘッドボックス３の取り付け・取り外しの容易化が図られる。
【００９５】
（印字幅の変更）
上述したように、上記ラインヘッド４においては、それぞれコネクタ４７ａを有する中継基板４７が２分割されていると共に、分配タンク４８も２分割されている。この構成によって、上記ラインヘッド４（インクジェットヘッド１１）は、その印字幅（記録媒体１２の幅方向に対する印字幅）を容易に変更させることが可能である。
【００９６】
ラインヘッド４の印字幅を変更するには、ベースプレート４２に固定するヘッドベース４１の数を変更する。具体的には、その数を、ベースプレート４２に固定可能な最大数の半数にして、印字幅を最大印字幅の半分にする。つまり、図８に示すように、最大で３０個のヘッドベース４１が取り付け可能なベースプレート４２に対し、１５個のヘッドベース４１を、その長手方向の一方側に取り付ける。ヘッドベース４１が１５個であるため、そのヘッドベース４１に取り付けられたドライバ基板４５は全て、２分割された中継基板４７の内の一方の基板４７に接続される。他方の中継基板４７は省略すればよい。同様に、ヘッドベース４１に取り付けられたサブタンク４６も全て、２分割された分配タンク４８の内の一方のタンク４８に接続される。他方の分配タンク４８は省略すればよい。尚、各ヘッドベース４１がエアチューブ４９ｃを介してエアマニホールド４９に接続される点は、上記と同じである。
【００９７】
ベースプレート４２に取り付けるヘッドベース４１の数を少なくすることにより、ラインヘッド４の実質的な長さが短くなる。つまり、幅の短い記録媒体１２（図１の破線参照）に対応したラインヘッド（記録装置）が構成されることになる。
【００９８】
このように、上記ラインヘッド４は、ベースプレート４２等の構成部品を変えなくても、搭載するヘッドベース４１（ノズルヘッド６）の数を変更することが可能である。その結果、部品を共用化しつつ、顧客ニーズに応じて、幅の異なる記録媒体１２に対応した記録装置を製造することが可能になる。
【００９９】
尚、ヘッドベース４１の取り付け数を、最大数よりも少なくしたときには、ベースプレート４２の開口４２ａが開放された状態になる。このため、ベースプレート４２の開口４２ａにおいて、ヘッドベース４１が取り付けられない部分にカバー部材４２ｃを取り付けることが好ましい。それによって開口４２ａが閉塞され、ヘッドボックス３内に埃等が流入することが防止される。
【０１００】
（変形例）
ラインヘッド４の中継基板４７は、図９に示すように、分割せずに１つであってもよい。図９に示すラインヘッド４は、本体ボックス２側に接続されるコネクタ４７ａを有する中継基板４７を１つ備えている。ベースプレート４２に取り付けられたヘッドベース４１（ドライバ基板４５）は全て、上記中継基板４７にＦＰＣ４５ａを介して接続される。
【０１０１】
この構成のラインヘッド４においては、上述したように、ヘッドボックス３と本体ボックス２との電気的な接続はコネクタ４７ａによってなされる。このため、本体ボックス２に対するヘッドボックス３の取り付け・取り外しが容易になる。
【０１０２】
尚、図９では、排出側インクチューブ４８ｂを省略して、分岐させたインクチューブ４８ａを各ヘッドベース４１のサブタンク４６に直接接続しているが、排出側インクチューブ４８ｂを設ける場合は、分配タンク４８が必要である。変形例にように中継基板４７を分割しない場合はその分配タンク４８も分割せずに１つであってもよい。また、図９では、エアマニホールド４９の図示を省略している。
【０１０３】
（本体ボックス２とヘッドボックス３との組み付け）
上述したように、上記ヘッドボックス３は、２つのコネクタ２７ａ、４つのインクカプラ４８ｃ、及び１つのエアカプラ４９ｂを備えている。この内、上記２つのコネクタ４７ａは、ヘッドボックス３の上面部に上向きに設けられ、４つのインクカプラ４８ｃと１つのエアカプラ４９ｂは、それぞれヘッドボックス３の側面（背面）に横向きに設けられる（図４参照）。
【０１０４】
これらのコネクタ４７ａ及びカプラ４８ｃ，４９ｂは、本体ボックス２とヘッドボックス３とを組み付ける際に、それぞれ本体ボックス２に設けられた電気系コネクタ８４（図１３参照）、インク系カプラ（図示省略）及びエア系カプラ（図示省略）と結合される。本体ボックス２の電気系コネクタ８４は、回路部２１の下面に下向きに配置され、インク系カプラ及びエア系カプラは、図示は省略するが、インク部２２の正面（ヘッドボックス３との組み付け面）に横向き配置される。
【０１０５】
上記本体ボックス２は、図３に示すように、上記ヘッドボックス３の組み付けに用いるヘッドボックススライダ２３を有している。このヘッドボックススライダ２３は、本体ボックス２の切り欠き部分に設けられる。上記ヘッドボックススライダ２３は、インク部２２の正面に対し並設され、本体ボックス２の長手方向に拡がる基部２３ａと、この基部２３ａの長手方向両端部から水平方向に延びる係合片２３ｂとからなる。上記基部２３ａは、ヘッドボックス３の背面に相対してこの背面と当接する。上記係合片２３ｂは、上記ヘッドボックス３の側面と係合する。このヘッドボックススライダ２３は、本体ボックス２に対して上下方向に相対移動が可能であり、ヘッドボックス３は、上記ヘッドボックススライダ２３の係合片２３ｂと係合した状態で、このヘッドボックススライダ２３に対して水平方向に相対移動が可能である。
【０１０６】
次に、上記ヘッドボックス３と、本体ボックス２との組み付け手順について、図３及び図１０を参照しながら説明する。先ず、上記ヘッドボックス３の両側面を上記ヘッドボックススライダ２３の係合片２３ｂと係合させ、その状態でヘッドボックス３を、ヘッドボックススライダ２３の基部２３ａと当接するまで水平方向にスライドさせる（図１０のＰ１１参照）。このときに、ヘッドボックス３の背面に設けたインクカプラ４８ｃ及びエアカプラ４９ｂを、本体ボックス２のインク部２２に設けたインク系カプラ及びエア系カプラと結合する。
【０１０７】
次に、ヘッドボックス３が係合されたヘッドボックススライダ２３を、ヘッドボックス３の上面が回路部２１の下面に当接するまで上方向に移動させる（図１０のＰ１２参照）。このときに、ヘッドボックス３の上面に設けたコネクタ４７ａを、本体ボックス２の回路部２１に設けたコネクタ８４と結合する。
【０１０８】
こうして、ヘッドボックス３と本体ボックス２とが組みつけられると共に、ヘッドボックス３のコネクタ４７ａ、インクカプラ４８ｃ及びエアカプラ４９ｂの結合が完了する（図１０のＰ１３参照）。
【０１０９】
このように、上記のインクジェットヘッド１１においては、ヘッドボックス３と本体ボックス２との間の、電気系の接続方向（上下方向）と電気系以外の接続（インク系及びエア系）の接続方向（水平方向）とは互いに異なり、２つの接続方向が互いに直交している。これによって、電気系の接続とインク系及びエア系の接続とのそれぞれを確実に行うことが可能になる。
【０１１０】
また、インクカプラ４８ｃはヘッドボックス３の背面に、コネクタ４７ａはその上面に設けることにより、インクカプラ４８ｃはコネクタ４７ａよりも下側に配置される。これにより、インクカプラ４８ｃからインク漏れが生じた際にも、コネクタ４７ａがインクによって汚染されることが確実に回避される。このことは、ショートの防止及び接続不良の防止に有効である。
【０１１１】
尚、ここではエアカプラ４９ｂは１つだけ設けていたが、エアカプラ４９ｂは２つ以上設けてもよい。この場合、複数のエアカプラ４９ｂの内のいくつかのカプラはエア導入用とし、残りのカプラはエア排出用とすることができる。
【０１１２】
（変形例）
図４に示すヘッドボックス３では、コネクタ４７ａと、インクカプラ４８ｃ及びエアカプラ４９ｂとは互いに異なる面に配置したが、コネクタ４７ａ及びカプラ４８ｃ，４９ｂをヘッドボックス３の同じ面に配置してもよい。
【０１１３】
例えば図１１に示すヘッドボックス３は、コネクタ４７ａ及びカプラ４８ｃ，４９ｂを共に、ヘッドボックス３の上面に配置した例を示している。コネクタ４７ａ及びカプラ４８ｃ，４９ｂを同じ面に配置した場合においても、カプラ（特にインクカプラ４８ｃ）は、コネクタ４７ａよりも下側に配置することが好ましい。そこで、図１１に示すヘッドボックス３では、上面部に段差を設けて、その上段にコネクタ４７ａを、その下段にインク及びエアカプラ４８ｃ，４９ｂをそれぞれ配置し、それによって、カプラをコネクタ４７ａよりも下側に配置している。この構成のヘッドボックス３は、本体ボックス２に対して、上下方向（一方向）に移動させたときに、電気系の接続とインク系及びエア系の接続とが行われる。
【０１１４】
これとは異なり、図１２に示すヘッドボックス３は、コネクタ４７ａ及びカプラ４８ｃ，４９ｂを共にヘッドボックス３の背面に配置した例を示している。この例のヘッドボックス３においても、図例に示すように、カプラはコネクタ４７ａよりも下側に配置することが好ましい。この構成のヘッドボックス３は、本体ボックス２に対して、水平方向（一方向）に移動させたときに、電気系の接続とインク系及びエア系の接続とが行われる。
【０１１５】
（電気回路の構成）
図１３は、各インクジェットヘッド１１の電気回路構成を示している。上述したように、ヘッドボックス３は、各ヘッドベース４１に取り付けられたドライバ基板４５（図例では１つのみを示すが、ノズルヘッド６の数だけ存在する）と、各ドライバ基板４５がＦＰＣ４５ａを介して接続される中継基板４７（図例では１つのみを示すが、２つ存在する）とを備える。
【０１１６】
一方、本体ボックス２は、その回路部２１内に、コネクタ８４を有するメイン基板８１を備えている。このメイン基板８１は、電源・制御ボックス１４からの光信号を受けてヘッド制御信号を出力する光変換基板８２ａとヘッド駆動波形データを出力するピエゾ基板８２ｂとからなる制御基板８２、ヘッド駆動波形データをＤ／Ａ変換するＤ／Ａコンバータ基板８３、及び、ヘッド駆動波形データを増幅して出力するアンプ基板７を含む。メイン基板８１のコネクタ８４は、ヘッドボックス３側のコネクタ４７ａと結合される。
【０１１７】
図１４は、１つのノズルヘッド６（複数の圧電アクチュエータ６７を含む）に対して必要な回路構成を示している。つまり、制御回路８２から出力されたヘッド駆動波形データは、Ｄ／Ａ変換器８３を介してアンプ回路７のオペアンプ７１に入力され、このオペアンプ７１により電圧が増幅される。ここで、図１５は、ノズルヘッド６の駆動電圧・電流波形の一例を示している。本実施の形態に係るインクジェットヘッド１１では、インクの吐出特性からの要請により、高電圧（Ｖ0、概ね３０Ｖ以上）かつ高スルーレート（ΔＶ／Δｔ、但し図１５では、Ｖ0／Δｔ）の電圧波形が必要である。このため、アンプ回路７に使用するオペアンプ７１は、高電圧かつ高スルーレートを実現するものが必要であり、その種類は限られる。例えば、図１６に示すキャンタイプの大型オペアンプ７１ａ、又は、図２２に示す樹脂モールドタイプの縦実装オペアンプ７１ｂが採用可能である。
【０１１８】
また、ノズルヘッド６の各圧電アクチュエータ６７はコンデンサとして機能するため、多数の圧電アクチュエータを一度に駆動する際には、ノズルヘッド６に大電流（Ａ0）を供給する必要がある（図１５の電流波形参照）。このため、オペアンプ７１には、ｐｎｐ型及びｎｐｎ型トランジスタ７２，７２を含む電流バッファ（エミッタフォロア形式）が接続されている。この電流バッファにより電流が増幅されて、ヘッド駆動波形がドライバ回路に入力される。この電流バッファを構成するトランジスタ７２の発熱量は比較的大きく、それを冷却するためにの大型ヒートシンク７３が必要となる。尚、オペアンプ７１又は電流バッファに接続される電源（＋Ｖ１，−Ｖ２，＋Ｖ３，−Ｖ４）は、本体ボックス２内に設けてもよいし、その外部に設けてもよい（この場合は、伝送線を介してオペアンプ７１又は電流バッファに供給すればよい）。
【０１１９】
上記ドライバ回路４５には、上記制御回路８２から出力されたヘッド制御信号が入力される。ドライバ回路４５は、ヘッド制御信号に基づいてヘッド駆動波形を選択的に圧電アクチュエータ６７に供給する。
【０１２０】
このように、１つのノズルヘッド６に対しては、大型のオペアンプと大型のヒートシンクとがそれぞれ１つずつ必要であり、これらをアンプ基板７に実装しなければならない、このアンプ基板７には、多数のノズルヘッド６（ドライバ回路４５）が接続されている中継基板４７が接続される。このため、１つのアンプ基板７には、大型のオペアンプ７１と大型のヒートシンクを含む電流バッファとを１セットとして、そのセットを中継基板４７に接続されるノズルヘッド６の数だけ実装しなければならない。その結果、アンプ基板７が大型化してしまうという不都合がある。
【０１２１】
そこで、本実施の形態では、以下の構成によりアンプ基板７の小型化を図っている。図１６及び図１７は、キャンタイプのオペアンプ７１ａを採用した場合のアンプ基板７の基板配置を示している。尚、図１６では、アンプ基板７に実装される電解コンデンサ、コネクタ等の図示は省略している。
【０１２２】
多数の大型オペアンプ７１ａ及び大型ヒートシンク７３のそれぞれを基板上に並べて配置したのでは、基板の大型化が避けられない。そこで、オペアンプ７１ａとヒートシンク７３とを上下方向に重ねて基板に実装している。具体的には、多数のオペアンプ７１ａ（図例では１５個）は、アンプ基板７上に並べて配置する。このときに、ひし形形状を有するオペアンプ７１ａを、その並び方向に対して対角線が傾くように配置する。こうすることで、その対角線が並び方向と同じになるように各オペアンプ７１ａを配置した場合よりも配置効率が高まり、アンプ基板７の面積を小さくすることが可能である。
【０１２３】
上記ヒートシンク７３は、図１８に示すように、その下端部を切り欠いた凹部７３ａを有している。そして、各オペアンプ７１ａが上記凹部７３ａ内に位置するように、そのオペアンプ７１ａの上側にヒートシンク７３を配置する。こうして、オペアンプ７１ａとヒートシンク７３との干渉を回避する。各ヒートシンク７３の側面には、電流バッファを構成する２つのトランジスタ７２，７２を取り付ける。
【０１２４】
このように、大型のオペアンプ７１ａと大型のヒートシンク７３とを、上下方向に重ねて配置することにより、アンプ基板７の小型化が図られる。
【０１２５】
（変形例１）
図１９は、変形例１に係るアンプ基板７を示している。図１９のアンプ基板と図１７のアンプ基板とを比較すると、オペアンプ７１ａとヒートシンク７３とを上方方向に重ねて配置する点は同じであるが、変形例１に係るアンプ基板７では、ヒートシンク７３に凹部７３ａを形成していない点が上記とは異なる。この変形例１に係るアンプ基板７では、オペアンプ７１ａの両側に配置したスペーサ７４，７４を介してヒートシンク７３を基板７に固定する（図例ではオペアンプ７１ａの一側に配置したスペーサ７４のみを示し、他側に配置したスペーサ７４の図示を省略している）。但し、ヒートシンク７３に凹部７３ａを形成すれば、そのヒートシンク７３が基板７に対し直接的に固定されるのに対し、変形例１ではヒートシンク７３が基板７に対し間接的に固定されるため、ヒートシンク７３の固定安定性の点では、ヒートシンク７３に凹部７３ａを形成した方が好ましい。
【０１２６】
（変形例２）
図２０及び図２１は、変形例２に係るアンプ基板７を示している。この例は、キャンタイプのオペアンプ７１ａを、アンプ基板７とは別のサブ基板７５に実装し、そのサブ基板７５をアンプ基板７に対して縦向きに配置する。これにより、オペアンプ７１ａとヒートシンク７３とは水平方向に並んで配置される。尚、オペアンプ７１ａとヒートシンク７３とが水平方向に並ぶことでヒートシンク７３の厚みを調節する場合がある。また、図２０では、ヒートシンク７３を横長にして、複数の電流バッファ（トランジスタ７２）で共通のヒートシンク７３としているが、これに限るものではなく、図１６に示すように、電流バッファ毎に１つのヒートシンク７３を設けてもよい。
【０１２７】
（変形例３）
上述したように、オペアンプ７１は、キャンタイプの他に、図２２に示す樹脂モールドタイプのオペアンプ７１ｂを採用することが可能である。このオペアンプ７１ｂは縦実装タイプであり、比較的発熱量が大きいためヒートシンク７６が必要になる。この場合に、図２２（ａ）に示すように、トランジスタ７２のヒートシンク７３とオペアンプ７１ｂのヒートシンク７６とをそれぞれ別個に設けたのでは、基板に対する各ヒートシンク７３，７６の脚の固定を考慮すれば、これらのヒートシンク７３，７６を近接して配置することができず、設置スペースの点で不利になる。これと共に、ヒートシンク７３，７６の脚の数が多くなるため、基板パターンの引き回しの点でも不利になる。そこで、図２２（ｂ）に示すように、トランジスタ７２のヒートシンク７３とオペアンプ７１ｂのヒートシンク７６とを一体化させてもよい。こうすることで、トランジスタ７２とオペアンプ７１ｂとを近づけて配置することが可能になり、アンプ基板７の小型化の点で有利になる。これと共に、ヒートシンク７６の脚の数が減少することによって、基板パターンの引き回しの点でも有利になる。
【０１２８】
（ヒューズ切れ検出回路）
図１４に示すように、電流バッファを構成する各トランジスタ７２のコレクタには過電流時に回路を開くヒューズ７２ａが設けられている。また、アンプ回路７からドライバ回路４５への出力を検出する出力検出回路８５を備えていて、その検出結果を制御回路８２にフィードバックしている。
【０１２９】
ところで、上述したように、駆動させるアクチュエータの数が少ないとき（インクを吐出するノズル数が少ないとき）には、必要な電流値は小さい。また、オペアンプ７１は小さい電流値であれば出力可能である。このため、エミッタフォロア形式の電流バッファでは、仮にヒューズ７２ａが切れていても、電流値が小さいときにはトランジスタ７２のベース経由でヘッド駆動波形がドライバ回路４５に出力されてしまう。その結果、出力検出回路８５を設けていても、ヒューズ切れを検出することができないという不都合がある。
【０１３０】
そこで、出力検出回路８５とは別に、トランジスタ７２のヒューズ切れを検出するヒューズ切れ検出回路８６を設け、その検出結果を制御回路８２に入力する。こうすることで、インクを吐出するノズル数が少ないときであっても、ヒューズ切れを確実に検出することが可能になる。
【０１３１】
（パージユニットの構成）
インクジェット式記録装置においては、ノズル板４３のインク吐出面（ノズル面４３ａという）に残留したインクが、水分の蒸発により高濃度・高粘度化し、それによって、ノズル４４の閉塞や記録媒体１２の汚染を招く虞がある。このため、そのノズル面４３ａを定期的にクリーニングする必要があり、インクジェット式記録装置は通常、クリーニング手段を有する。
【０１３２】
本実施の形態に係る記録装置は、上述したように、クリーニング手段として４つのパージユニット５を備えている（図１及び図２参照）。これらのパージユニット５は、クリーニング位置（記録媒体１２の搬送位置に対して、その搬送方向に直交する方向（Ｙ方向）の外方位置）に、記録媒体１２の搬送方向（Ｘ方向）に所定の等間隔を空けて並設されている。つまり、４つのパージユニット５は、４つのインクジェットヘッド１１の配置に対応して配置されている。また、各パージユニット５は、インクジェットヘッド１１よりも下側に配置されている。
【０１３３】
各パージユニット５は、図２３，２４に示すように、Ｙ方向に延びるフレーム５１と、このフレーム５１に支持された複数のキャップ５２と、図示省略の吸引ポンプとを備えている。
【０１３４】
上記キャップ５２は、インクジェットヘッド１１に含まれるノズル板４３（図２８参照）に対応していて、Ｙ方向に並設される。尚、図２３（及び図２８）では、パージユニット５に含まれる一部のキャップ５２（インクジェットヘッドに含まれるノズル板４３）の図示を省略しているため、図１に示すキャップ５２の数（及びノズル板４３の数）とは対応していない。このように、ノズル板４３に対応してキャップ５２を設けることにより、各キャップ５２の大きさは小さくなる。それによって各キャップ５２をノズル面に密着させることが容易になる（後述するように、キャップ５２内を減圧した際に圧力漏れが生じ難くなる）。
【０１３５】
各キャップ５２は、上端開口の略箱状であって、その底部に貫通形成された貫通孔５２ａを有している。各キャップ５２の貫通孔５２ａは上記吸引ポンプに接続される。
【０１３６】
各パージユニット５は、図２５に示すように、リニアアクチュエータ５３に支持されていて、このリニアアクチュエータ５３によって上下方向に移動する。これにより、パージユニット５は、クリーニング位置に位置付けられたインクジェットヘッド１１のノズル面４３ａに対して各キャップ５２を密着させたクリーニング状態と、ノズル面４３ａに対してキャップ５２を離間させた待避状態と、に相互に状態変更する。
【０１３７】
また、上記リニアアクチュエータ５３は、上下方向に積層された、Ｘ軸方向に微少移動する微調ステージ５４及びＺ軸周りに回転する回転ステージ５５に支持されている。これにより、上記パージユニット５は、Ｘ軸方向に微少移動が可能であると共に、Ｚ軸周りに回転可能である。上述したように、各インクジェットヘッド１１は、第１及び第２回転ステージ１１ａ，１１ｂによって、記録媒体１２に対する傾きを調節する。微調ステージ５４及び回転ステージ５５は、その調節後のインクジェットヘッド１１に応じて、パージユニット５の位置及び傾きを調節する。こうすることで、パージユニット５の各キャップ５２の上面開口は、クリーニング状態において、各インクジェットヘッド１１のノズル面４３ａに密着し、クリーニング動作を確実に行うことが可能になる。
【０１３８】
上記パージユニット５は、図１及び図２５に示すように、ノズル面４３ａを長手方向に拭き払う拭払部材５６を有している。拭払部材５６は、弾性体からなるブレードである。このブレード５６は、フレーム長手方向の記録媒体１２側の端部に立設されている。このブレード５６は、上記パージユニット５を上昇させた際（パージユニット５をキャップ５２がノズル面４３ａに当接するまでは上昇させない）に、その先端がノズル面４３ａに当接する。ブレード５６をノズル面４３ａに当接させた状態で、インクジェットヘッド１１をパージユニット５に対して相対移動させることにより、そのブレード５６がノズル面４３ａを長手方向に拭き払い、それによって、ノズル面４３ａに付着したインクが除去される。ブレード５６は、ノズル面４３ａにキャップ５２を被せてノズル周囲のインクを吸引した後に、ノズル面４３ａを拭き払う。
【０１３９】
ところで、インクジェットヘッド１１（ラインヘッド４）は長尺であるため、上記ブレード５６でノズル面４３ａを長手方向に拭き払うと、ブレード５６によって大量のインクがかき集められる。それによって、ブレード５６によってかき集められたインクが、そのブレード５６の拭き払い動作によってノズル４４内に押し込まれる虞もある。
【０１４０】
そこで、上記パージユニット５は、図２３，２４に示すように、ノズル面４３ａに付着したインクを吸収する吸収体５７を有している。この吸収体５７はフレーム５１に支持されていて、各キャップ５２の周囲を取り囲むように配置されている。言い換えると、吸収体５７はノズル４４の開口に対応する部位が除去され、その除去された部位にキャップ５２が配置される。吸収体５７は、キャップ５２をノズル面４３ａに密着させたクリーニング状態において、ノズル面４３ａに対して当接した状態となるように、配置されている。これにより、ブレード５６によってノズル面４３ａを拭き払う前に、上記吸収体５７がノズル面４３ａ（キャップ５２によって覆われる部分を除く）に付着したインクを吸収可能になる。
【０１４１】
この吸収体５７は、インクを吸収するものであればどのようなものであってもよい。一例として、多孔質の部材が挙げられる。
【０１４２】
次に、図２５を参照しながらパージユニット５によるノズル面４３ａのクリーニング動作を説明する。先ず、インクジェットヘッド１１がクリーニング位置に移動すれば（図２５のＰ２１参照）、リニアアクチュエータ５３によってパージユニット５を上昇させ、ノズル面４３ａにキャップ５２を被せる（図２５のＰ２２参照）。こうしてノズル面４３ａにキャップ５２を被せた状態で、図示省略の吸引手段を作動させる。これにより、閉塞されているキャップ５２内が負圧状態になって、ノズル４４の開口近傍に付着したインクが除去される。
【０１４３】
このときに、キャップ５２の周囲に配置された吸収体５７はノズル面４３ａと当接するため、それによって、ノズル面４３ａにおける、キャップ５７に覆われていない部分に付着したインクが吸収体５７によって吸収される。
【０１４４】
こうして、キャップ５２及び吸引手段と、吸収体５７とによって、ノズル面４３ａに付着したインクが除去されれば、リニアアクチュエータ５３によってパージユニット５を所定量だけ下降させる（図２５のＰ２３参照）。この状態で、インクジェットヘッド１１を記録位置に移動させる（図２５のＰ２４参照）。これにより、ブレード５６の先端がノズル面４３ａを長手方向に拭き払う。こうして、インクジェットヘッド１１に対するクリーニングが完了する。
【０１４５】
このように、上記記録装置Ａのパージユニット５は、記録媒体１２の幅方向（Ｙ方位工）の外方位置に、各インクジェットヘッド１１に対応してＹ方向に延びて配置されている。そうして、上記記録装置Ａは、各インクジェットヘッド１１を、その長手方向に移動させることによって、記録位置とクリーニング位置とのそれぞれに位置づけるようにしている。これにより、記録媒体１２の搬送方向（Ｘ方向）について、記録装置Ａの小型化が図られる。
【０１４６】
また、４つのインクジェットヘッド１１は、上述したように、個別に記録位置とクリーニング位置とに位置変更が可能である。このため、４つのインクジェットヘッド１１の内の、必要なインクジェット１１は、クリーニング位置に移動させてクリーニングを実行する一方で、その他のインクジェットヘッド１１はクリーニングを実行しない、ことが可能になる。また、４つのインクジェットヘッド１１を順次クリーニングしながら、クリーニングが終了したインクジェットヘッド１１を記録位置に移動させて、記録媒体１２にテスト印字を実行する、ことも可能になる。こうして、クリーニングに要する時間が短縮する。
【０１４７】
上記吸収体５７は、キャップ５２の周囲に配置されているため、クリーニング状態においてもノズル４４とは当接しない。仮に吸収体５７をノズル４４に当接させたときには、吸収体５７がノズルヘッド内部のインクを吸い出すことになるため、ノズル面４３ａに付着した残留インクの吸収機能が損なわれる場合がある。しかしながら、吸収体５７をノズル４４とは当接させないことにより、吸収体５７がヘッド内部のインクを吸収することがなく、ノズル面４３ａに付着したインクを確実に吸収することが可能になる。
【０１４８】
上記吸収体５７は、図２４に示すように、パージユニット５をインクジェットヘッド１１に密着させたときには、ノズル板４３同士の隙間に入り込むように配置してもよい。例えば吸収体５７を、その表面がキャップ５２の上端と面一となるように、又はその上端よりも突出するようにフレーム５１に支持させてもよい。こうすることで、ノズル板４３同士の隙間に入り込んでいるインクが、吸収体５７によって効果的に吸収される。その結果、記録媒体１２の汚染等が確実に防止される。
【０１４９】
尚、図２３では、キャップ５２を、インクジェットヘッド１１に含まれるノズル板４３に対応させて複数設けているが、これとは異なり、全てのノズル板４３を覆う長尺のキャップを１つ設けてもよい。但し、長尺のキャップの全周囲をノズル面４３ａに密着させることは困難であるため、吸引手段の吸引能力を高める等、インクの吸引を確実に行い得る対策を施す必要がある。
【０１５０】
（吸収体に関するその他の形態）
（その１）
吸収体５７をノズル面４３ａに当接させる際に、ノズル面４３ａの広範囲に亘って、吸収体５７の全面を一度に当接させたのでは、吸収体５７がインクを吸収しきれずに、インクをノズル面内で拡げてしまう場合がある。そこで、吸収体５７は、ノズル面４３ａに当接する領域が、時間経過に伴い変化するように構成してもよい。ここでいう領域の変化は、ノズル面４３ａに先に当接した領域が他の領域が当接する際にはノズル面４３ａから離れる場合と、ノズル面４３ａに先に当接した領域が他の領域が当接する際にもノズル面４３ａに当接した状態を保つ場合と、を含む。
【０１５１】
具体的には、吸収体５７の表面（ノズル面４３ａとの当接面）に凹凸を設けてもよい。こうすることで、パージユニット５の上昇に伴い、吸収体５７の表面における凸の部分が、凹の部分に先立ってノズル面４３ａに当接し、その後、凹の部分がノズル面４３ａに当接する。この形態では、凸の部分は凹の部分が当接した際にも、ノズル面４３ａに当接した状態を保つ。吸収体５７の表面を波形にしても、同様の作用を奏する。また、吸収体５７の表面を、長手方向の中央部がその両端部よりも嵩高なアーチ状に形成してもよい。この場合は、パージユニット５の上昇に伴い、吸収体５７の中央部がノズル面４３ａに当接し、その後、吸収体５７の両端部がノズル面４３ａに当接する。
【０１５２】
（その２）
さらに、図２６に示すように、吸収体５７は、筒体５８の外周面に取り付けた筒型の吸収体５７にしてもよい。この筒型の吸収体５７は、その筒軸がノズル面４３ａの長手方向に直交する方向を向くように配置する。また、筒型の吸収体５７は、上記ブレード５６と略同じ高さ位置であって、そのブレード５６に対して、インクジェットヘッド１１の移動方向（クリーニング位置から記録位置に移動する際の移動方向）の後方位置に配置する。
【０１５３】
上記筒型の吸収体５７は、上記キャップ５２及び吸引手段によるインクの吸引が終了した後に（言い換えると、図２５のＰ２３，Ｐ２４において）、ノズル面４３ａに当接させた状態で、インクジェットヘッド１１の移動に同期して筒軸周りに回転させる（吸収体５７は移動をさせない）。この場合は、吸収体５７におけるノズル面４３ａに先に当接した領域が他の領域が当接する際にはノズル面４３ａから離れる。つまり、吸収体５７は、その周方向にノズル面４３ａと当接する領域を変化させながら、長手方向に延びるノズル面４３ａと順次当接し、そのノズル面に付着したインクを吸収する。上記ノズル面４３ａは、吸収体５７と当接した後にブレード５６と当接することになり、吸収体５７でインクを吸収した後に、ブレード５６でノズル面を拭き払うという一連のクリーニング動作が実現する。
【０１５４】
上記吸収体５７は、筒体５８の外周面に取り付けられるため、図２７（ａ）に示すように、展開したときには帯状に形成される。上述したように、ノズルヘッド内部のインクの吸収を防止するため、吸収体５７におけるノズル４４と当接する部分には、開口５７ａを設けることが好ましい。図２７（ａ）の例では、１つのノズル板４３にノズル４４が２列に配置されており、開口５７ａを、そのノズル４４の各列に対応して形成している。これにより、ノズル４４の列間に付着しているインクを吸収体５７によって吸収可能になる。尚、図２７（ｂ）に示すように、ノズル列に対応して開口５７ａを形成するのではなく、各ノズル板４３に対応して、吸収体５７に開口５７ｂを形成してもよい。
【０１５５】
吸収体５７を筒体５８の外周面に取り付けた場合は、吸収体５７をフレーム５１に取り付けた場合（図２３参照）と比較して、吸収体５７の大きさが小さくなる。また、ラインヘッド４の長さが異なっても（上述したように、ベースプレート４２に取り付けるヘッドベース４１の数を変更して幅の異なる記録媒体１２に対応した記録装置を構成しても）、同じ吸収体５７で対応することが可能であり、部品の共用化が図られる。
【０１５６】
また、吸収体５７が取り付けられる筒体５８を多孔質部材によって形成し、その中心の中空部分に吸引ポンプ５９を接続してもよい。こうすることで、吸収体５７が吸収したインクを吸引ポンプ５９で吸引可能になる。筒型の吸収体５７は、上述したように、その体積が比較的小さくなるため、吸収体５７がインクで飽和する虞がある。吸収体５７が吸収したインクを吸引する吸引ポンプ５９を設けることで、安定したインクの吸収が実現する。尚、吸引ポンプ５９は、図２３に示すように吸収体５７をフレーム５１に支持した形態においても適用可能である。この場合、吸収体５７における、その表面（ノズル面４３ａとの当接面）以外の部分に吸引ポンプ５９を接続すればよい。
【０１５７】
上記吸引ポンプ５９の作動は、吸収体５７をノズル面４３ａに当接させてインクの吸収を行っている最中に実行してもよい。こうすることで、吸収体５７によって吸収されたインクが、吸引ポンプ５９によって随時吸引されるため、上記吸収体５７をノズル面４３ａから離す際にインク垂れが生じることが効果的に防止される。尚、吸引ポンプ５９は、吸収体５７をノズル面４３ａから離してインクの吸収を行っていないときに実行してもよい。
【０１５８】
上記吸収体５７の筒軸方向長さ（幅Ｌｓ）は、ブレード５６の長さ（幅Ｌｂ）よりも短くする（Ｌｓ＜Ｌｂ）ことが好ましい。これは吸収体５７をノズル面４３ａに当接させた際に、ノズル面４３ａ上で幅方向にインクが拡がる場合があるが、吸収体５７の幅よりもブレード５６の幅を長くすることで、幅方向に拡がって吸収体５７によって吸収されなかったインクを、その後に、ブレード５６が確実に拭き払うことができるためである。
【０１５９】
（その３）
上記の各例では、吸収体５７をパージユニット５側に設けたが、図２８に示すように、ラインヘッド４側に吸収体９を設けてもよい。
【０１６０】
本実施の形態のように、多数のノズルヘッド６を並設してラインヘッド４を構成する場合、ブレード５６がノズル面を長手方向に拭き払った際に、各ノズル板４３の縁部にインクが残留する（残留したインクは、水分の蒸発等に伴い高濃度かつ高粘度のインクとなる）ことがある。この残留インクが記録媒体１２の汚染を招いたり、ブレード５６が再度ノズル面４３ａを拭き払う際に残留インクをノズル４４に押し込んだりする虞がある。
【０１６１】
そこで、図２８に示すように、各ノズル板４３の周囲を取り囲むようにノズル面４３ａに吸収体９を設ける。こうすることで、ブレード５６による拭き払い後にノズル面４３ａに残留するインクは吸収体９が吸収するため、記録媒体１２の汚染やノズル４４の閉塞が防止される。
【０１６２】
上記吸収体９は、ノズル板４３の表面に対して面一か、又はノズル板４３の表面よりも落ち込んだ状態に設けることが好ましい。また、上記吸収体９は、図２８（ａ）に示すように、ノズル板４３同士の隙間に設けてもよいし、特にノズル板４３同士の隙間が極めて小さい等においては、図２８（ｂ）に示すように、ノズル板４３同士の隙間には設けなくてもよい。但し、ノズル板４３同士の隙間に設けた場合は、上述したように、ノズル板４３の縁部に溜まるインクを効果的に吸収可能になる。
【０１６３】
尚、吸収体は、パージユニット５側及びラインヘッド４側の双方に設けてもよいし、いずれか一方に設けてもよい。
【０１６４】
また、ノズルヘッドは、圧電アクチュエータを備えたものに限らず、発熱素子を備えたものであってもよい。
【産業上の利用可能性】
【０１６５】
以上説明したように、本発明は、ラインヘッドユニットと本体ユニットの組み付けが容易になり、インクジェット式記録装置、特に複数のノズルヘッドでラインヘッドを構成したインクジェット式記録装置、等に有用である。
【図面の簡単な説明】
【０１６６】
【図１】記録装置の平面図である。
【図２】記録装置の正面図である。
【図３】インクジェットヘッドの斜視図である。
【図４】ラインヘッドの斜視図である。
【図５】ラインヘッドの分解斜視図である。
【図６】ノズルヘッドの縦断面図である。
【図７】ラインヘッドの構成を示す模式図である。
【図８】ラインヘッドの実質的な長さを短くした際の構成を示す模式図である。
【図９】図７とは異なるラインヘッドの構成を示す模式図である。
【図１０】インクジェットヘッドの組み付け手順を示す説明図である。
【図１１】図４とは異なる構成のインクジェットヘッドの斜視図である。
【図１２】図４とは異なる構成のインクジェットヘッドの斜視図である。
【図１３】インクジェットヘッドの電気回路構成図である。
【図１４】１つのノズルヘッドに対応する電気回路構成図である。
【図１５】駆動電圧波形とそれに対応する駆動電流波形の一例である。
【図１６】アンプ基板の基板配置を示す平面図である。
【図１７】アンプ基板の基板配置を示す側面図である。
【図１８】ヒートシンクの正面図である。
【図１９】図１７とは異なる構成のアンプ基板の基板配置を示す側面図である。
【図２０】図１６とは異なる構成のアンプ基板の基板配置を示す側面図である。
【図２１】図１７とは異なる構成のアンプ基板の基板配置を示す側面図である。
【図２２】縦実装タイプのオペアンプを採用した場合の配置を示す正面図であり、（ａ）は従来の構成、（ｂ）は本発明に係る構成である。
【図２３】パージユニットの平面図である。
【図２４】図２３のＩ−Ｉ断面図である。
【図２５】ノズル面のクリーニング動作手順を示す説明図である。
【図２６】筒型の吸収体を採用した形態を示す斜視図である。
【図２７】吸収体の展開図である。
【図２８】ラインヘッドの底面図である。
【符号の説明】
【０１６７】
１２    記録媒体
２    本体ボックス（本体ユニット）
３    ヘッドボックス（ラインヘッドユニット）
４    ラインヘッド
４２    ベースプレート（保持部）
４２ｃ    カバー部材
４４    ノズル
４５ａ    ＦＰＣ（伝送線）
４５ｂ    コネクタ
４７    中継基板
４７ａ    コネクタ
４８    分配タンク
４８ｃ    インクカプラ
４９    エアマニホールド
４９ｂ    エアカプラ
６    ノズルヘッド
６７    圧電アクチュエータ
６７ｂ    圧電素子
６８    圧力室
７    アンプ基板
７１，７１ａ，７１ｂ    オペアンプ
７２    トランジスタ（電流バッファ）
７２ａ    ヒューズ
７３，７６    ヒートシンク
７３ａ    凹部
７４    スペーサ
７５    サブ基板
８５    出力検出回路（出力検出手段）
８６    ヒューズ切れ検出回路（ヒューズ切れ検出手段）
Ａ    記録装置
【図１】
2005074763.tif 000003
【図２】
2005074763.tif 000004
【図３】
2005074763.tif 000005
【図４】
2005074763.tif 000006
【図５】
2005074763.tif 000007
【図６】
2005074763.tif 000008
【図７】
2005074763.tif 000009
【図８】
2005074763.tif 000010
【図９】
2005074763.tif 000011
【図１０】
2005074763.tif 000012
【図１１】
2005074763.tif 000013
【図１２】
2005074763.tif 000014
【図１３】
2005074763.tif 000015
【図１４】
2005074763.tif 000016
【図１５】
2005074763.tif 000017
【図１６】
2005074763.tif 000018
【図１７】
2005074763.tif 000019
【図１８】
2005074763.tif 000020
【図１９】
2005074763.tif 000021
【図２０】
2005074763.tif 000022
【図２１】
2005074763.tif 000023
【図２２】
2005074763.tif 000024
【図２３】
2005074763.tif 000025
【図２４】
2005074763.tif 000026
【図２５】
2005074763.tif 000027
【図２６】
2005074763.tif 000028
【図２７】
2005074763.tif 000029
【図２８】
2005074763.tif 000030